(57)【特許請求の範囲】
【請求項１】
受光部と前記受光部に隣接する縁部とを含む表側面を有した太陽電池モジュールと、
前記太陽電池モジュールの前記表側面の前記縁部を覆う被覆部を有した枠体と、
前記太陽電池モジュールの前記表側面上および前記枠体の前記被覆部上に設けられた意匠層と、
前記太陽電池モジュールの前記受光部と前記意匠層との間に設けられた光拡散層と、を備え、
前記光拡散層は、前記受光部が設けられている領域から前記被覆部が設けられている領域上まで一体的に広がっており、
前記意匠層を取り除いた状態で、前記被覆部が設けられている領域における最表面での明度と、前記受光部が設けられている領域における最表面での明度と、の差が、２．３以内である、太陽電池装置。
【請求項２】
前記意匠層を取り除いた状態で、前記被覆部が設けられている領域における最表面の色と、前記受光部が設けられている領域における最表面の色との色差が、１５.０以内である、請求項１に記載の太陽電池装置。
【請求項３】
前記意匠層は、前記受光部が設けられている領域から前記被覆部が設けられている領域まで一体的に広がっている、請求項１または２に記載の太陽電池装置。
【請求項４】
前記枠体の前記被覆部と前記意匠層との間に設けられた着色層を、さらに備える、請求項１〜３のいずれか一項に記載の太陽電池装置。
【請求項５】
前記意匠層は、前記受光部が設けられている領域上に設けられた第１意匠層と、前記第１意匠層とは別体として形成され前記枠体の前記被覆部が設けられている領域上に設けられた第２意匠層と、を含む、請求項１〜４のいずれか一項に記載の太陽電池装置。
【発明の詳細な説明】
【技術分野】
【０００１】
本発明は、太陽電池装置に関する。
【背景技術】
【０００２】
現在、地球温暖化防止の対策として、世界規模でＣＯ２排出抑制の取り組みが行われており、火力発電等に代わるクリーンな発電装置として太陽電池が注目されている。太陽電池が発電装置として利用される場合には、通常、複数の太陽電池を電気的に接続した太陽電池モジュールが構成される。このような太陽電池モジュールが、例えば屋外に設置される。
【０００３】
近年においては、太陽電池モジュールが、屋外または屋内の種々の物品に搭載されて利用される場合がある。具体的には、太陽電池モジュールが搭載された物品の１つとして、近年、ＢＩＰＶ（建材一体型太陽電池）等が注目されている。
【０００４】
このような太陽電池モジュールが一体化された物品においては、物品の外観と太陽電池モジュールの外観との違いから、太陽電池モジュールの意匠性が問題となることがある。例えば、上述のＢＩＰＶにおいては、太陽電池モジュールにおける暗色の受光面が建材から露出する場合に、建材の外観と太陽電池モジュールの外観とに大きな違いが生じ得る。このような外観の違いが、建造物や町の景観に大きな影響を与えることで、太陽電池モジュールの意匠性が問題となることがある。
【０００５】
そこで、太陽電池モジュールの受光面に所望の意匠性を付与することで、当該受光面に関する意匠性の問題を回避する技術が従来から知られている（特許文献１乃至特許文献３）。
【０００６】
特許文献１および特許文献２には、太陽電池モジュールの受光面側に拡散層を設けることにより、当該拡散層で光を拡散せしめ、受光面全体を白色とすることにより太陽電池モジュールの受光面に意匠性を付与する技術が開示されている。
【０００７】
また、特許文献３には、太陽電池モジュールを構成する非受光面側充填材を着色することによって太陽電池素子と太陽電池素子との間を着色し、これにより太陽電池モジュールの受光面に意匠性を付与する技術が開示されている。
【先行技術文献】
【特許文献】
【０００８】
【特許文献１】特開平１１−２９８０２６号公報
【特許文献２】特許第５２０６８９９号公報
【特許文献３】特開２０１１−２１０８６１号公報
【発明の概要】
【発明が解決しようとする課題】
【０００９】
ところで、上述したように太陽電池モジュールが屋外あるいは屋内における物品に搭載される場合には、太陽電池モジュールは、その受光部に隣接する縁部を覆う枠体を一体化されて、この枠体を介して物品に搭載されることが一般的である。ところが、この場合、太陽電池モジュールの受光部の外観と枠体の外観との違いから、意匠性が問題となる場合がある。
【００１０】
上述のように枠体が一体化された太陽電池モジュールにおいて、その意匠性が問題とならないようにする簡易な対策としては、太陽電池モジュールと枠体とを、一体的に意匠層で覆うことが考えられる。しかし、このような対策では、太陽電池モジュールの色と枠体の色とが大きく異なった場合に、意匠層のうちの太陽電池モジュールの受光部が対向する部分と、意匠層のうちの枠体が対向する部分とで濃淡が生じ、全体として色ムラが発生し得る。そのため、意匠層の意匠性が損なわれる状況が生じる可能性がある。
【００１１】
本発明は、このような点を考慮してなされたものであり、太陽電池モジュールの受光部及び太陽電池モジュールの縁部を覆う枠体を覆うように設けられる意匠層が優れた意匠性を発揮することができる太陽電池装置を提供することを目的とする。
【課題を解決するための手段】
【００１２】
本発明は、受光部と前記受光部に隣接する縁部とを含む表側面を有した太陽電池モジュールと、前記太陽電池モジュールの前記表側面の前記縁部を覆う被覆部を有した枠体と、前記太陽電池モジュールの前記表側面上および前記枠体の前記被覆部上に、直接または他の層を介して、設けられた意匠層と、を備え、前記意匠層を取り除いた状態で、前記被覆部が設けられている領域における最表面での明度と、前記受光部が設けられている領域における最表面での明度と、の差が、２．３以内である、太陽電池装置、である。
【００１３】
また、前記意匠層を取り除いた状態で、前記被覆部が設けられている領域における最表面の色と、前記受光部が設けられている領域における最表面の色と、の色差が、１５.０以内となっていてもよい。
【００１４】
前記意匠層は、前記受光部が設けられている領域から前記被覆部が設けられている領域まで一体的に広がっていてもよい。
【００１５】
前記太陽電池装置は、前記枠体の前記被覆部と前記意匠層との間に設けられた着色層を、さらに備えていてもよい。
【００１６】
前記太陽電池装置は、前記太陽電池モジュールの前記受光部と前記意匠層との間に設けられた光拡散層を、さらに備えていてもよい。
【００１７】
前記光拡散層は、前記受光部が設けられている領域から前記被覆部が設けられている領域まで広がっていてもよい。
【００１８】
前記意匠層は、前記受光部が設けられている領域上に設けられた第１意匠層と、前記第１意匠層とは別体として形成され前記枠体の前記被覆部が設けられている領域上に設けられた第２意匠層と、を含んでいてもよい。
【００１９】
また、本発明は、受光部と前記受光部に隣接する縁部とを含む表側面を有した太陽電池モジュールと、前記太陽電池モジュールの前記表側面の前記縁部を覆う被覆部を有した枠体と、前記太陽電池モジュールの前記表側面上および前記枠体の前記被覆部上に、直接または他の層を介して、設けられた意匠層と、を備え、前記意匠層は絵柄を含み、前記絵柄の影響を取り除いた状態での前記被覆部が設けられている領域上の前記意匠層の表面での明度と、前記受光部が設けられている領域上の前記意匠層の表面での明度との差が、２．３以内である、太陽電池装置、である。
【００２０】
前記絵柄の影響を取り除いた状態での前記被覆部が設けられている領域上の前記意匠層の表面の色と、前記絵柄の影響を取り除いた状態での前記受光部が設けられている領域上の前記意匠層の表面の色との色差が、１５.０以内であることが好ましい。
【発明の効果】
【００２１】
本発明によれば、太陽電池モジュールの受光部及び太陽電池モジュールの縁部を覆う枠体を覆うように設けられる意匠層が優れた意匠性を発揮することができる。
【図面の簡単な説明】
【００２２】
【図１】本発明の第１の実施の形態による太陽電池装置の一部が破断された状態の斜視図である。
【図２】図１の太陽電池装置の平面図である。
【図３】図２のIII−III線に沿う断面図である。
【図４】本発明の第２の実施の形態による太陽電池装置の断面図である。
【図５】本発明の第３の実施の形態による太陽電池装置の断面図である。
【図６】本発明の第４の実施の形態による太陽電池装置の断面図である。
【発明を実施するための形態】
【００２３】
以下、図面を参照して本発明の各実施の形態について説明する。なお、本件明細書に添付する図面においては、図示と理解のしやすさの便宜上、適宜縮尺および縦横の寸法比等を、実物のそれらから変更し誇張してある。
【００２４】
（第１の実施の形態）
図１乃至図３には、本発明の第１の実施の形態による太陽電池装置１が示されている。図１は、第１の実施の形態による太陽電池装置１の一部が破断された状態の斜視図であり、図２は、太陽電池装置１の平面図であり、図３は、図２のIII−III線に沿う断面図である。
【００２５】
図１乃至図３に示すように、本実施の形態による太陽電池装置１は、受光部１０ｘと受光部１０ｘに隣接する縁部１０ｙとを含む表側面１０ａを有した太陽電池モジュール１０と、太陽電池モジュール１０の表側面１０ａの縁部１０ｙを覆う被覆部２１を有した枠体２０と、太陽電池モジュール１０の表側面１０ａ上および枠体２０の被覆部２１上に設けられた光拡散層２８および意匠層３０と、を備えている。
【００２６】
本実施の形態では、意匠層３０と光拡散層２８とが一体に接合されており、このうち、意匠層３０が、拡散層２８よりも太陽電池モジュール１０側から見て外側に配置されている。なお、図１および図２においては、説明の便宜のため、意匠層３０および光拡散層２８が二点鎖線で概略的に示されている。
【００２７】
本実施の形態の太陽電池モジュール１０は、矩形の板状に形成されており、その平面方向に直交する方向において一側を向く面および他側を向く面のうち、前記一側を向く面が、前記の表側面１０ａとなっている。表側面１０ａにおいて、受光部１０ｘは、太陽電池モジュール１０の平面方向に直交する方向における前記一側から光を受光する部分であり、矩形状となっている。なお、以下では、受光部１０ｘの前記一側を向く面のことを、受光面といい、前記一側のことを受光面側という場合がある。一方、縁部１０ｙは、受光部１０ｘの外周側に位置して受光部１０ｘに隣接する部分であり、受光部１０ｘを取り囲むように矩形の枠状となっている。
【００２８】
上述の記載においては、光拡散層２８および意匠層３０が、太陽電池モジュール１０の表側面１０ａ上および枠体２０の被覆部２１上に設けられると説明した。ここで、本件明細書において、光拡散層２８および意匠層３０が表側面１０ａ上に設けられるとは、光拡散層２８および意匠層３０が、表側面１０ａに対して太陽電池モジュール１０の平面方向に直交する方向における前記一側に設けられること、すなわち表側面１０ａに対して受光面側に設けられることを意味している。同様に、光拡散層２８および意匠層３０が枠体２０の被覆部２１上に設けられるとは、光拡散層２８および意匠層３０が、被覆部２１に対して太陽電池モジュール１０の平面方向に直交する方向における前記一側に設けられること、すなわち被覆部２１に対して受光面側に設けられることを意味している。
【００２９】
太陽電池モジュール１０は、図示省略する複数の太陽電池（太陽電池素子）を電気的に接続し、これら複数の太陽電池を図示省略する一対の基板によって挟持することで構成されている。太陽電池モジュール１０を構成する太陽電池としては、特に限定されることはなく、公知のものを適宜選択して用いることができる。上記太陽電池としては、例えば、単結晶シリコーン型太陽電池素子、多結晶シリコーン型太陽電池素子、アモルファスシリコン型太陽電池素子、化合物半導体型太陽電池素子、色素増感型太陽電池素子、量子ドット型太陽電池素子、および有機薄膜型太陽電池素子等を挙げることができる。
【００３０】
本実施の形態の枠体２０は、太陽電池モジュール１０の縁部１０ｙを覆うべく、矩形の周縁に沿って延びる枠として形成されており、詳しくは、枠体１０は、縁部１０ｙを覆う被覆部２１と、被覆部２１の外周縁から太陽電池モジュール１０の厚さ方向（太陽電池モジュール１０の平面方向に直交する方向）に沿って延びて太陽電池モジュール１０の外周部分をその平面方向外側から覆う基体部２２と、を有している。なお、本実施の形態では、枠体１０が基体部２２を有するが、このような基体部２２は無くても構わない。
【００３１】
枠体２０は、例えば、アルミニウム合金、鉄合金、樹脂、炭素化合物等から形成されるが、その材質は特に限定されるものではない。ただし、枠体２０は、太陽電池モジュール１０を建材等の物品に組み付ける際に、物品に直接固定されて太陽電池モジュール１０を物品に支持するための部材であり、所定の剛性および強度が要求される。したがって、枠体１０の材質は、太陽電池モジュール１０の重量やその設置環境に応じて適宜選択されることが好ましい。
【００３２】
また、図３に示すように、本実施の形態では、枠体２０の少なくとも被覆部２１上に、着色層２３が設けられている。着色層２３は、太陽電池モジュール１０の受光部１０ｘとともに光拡散層２８および意匠層３０によって覆われている。着色層２３は、当該着色層２３が設けられた領域に無彩色または有彩色の色味を付与する。
【００３３】
上記着色層２３の着色方法については特に限定されることはなく、公知の種々の着色材等を用いて、適宜着色すればよい。具体的には、各種染料や各種顔料、さらにはこれらを適宜組み合わせて用いることができる。また、着色材の形状についても特に限定されることはなく、球状、針状、鱗片状等の粒子を用いればよく、また大きさについても１ｎｍ〜１００μｍ程度の大きさの粒子を用いればよい。
【００３４】
また、着色層２３は、前記着色材の他、任意の成分が含まれていてもよい。例えば、バインダーとしての樹脂、溶媒、分散剤等、着色層２３を形成する上で必要な成分を任意に配合することができる。
【００３５】
着色層２３の厚さについても特に限定されることはなく、着色層２３が形成される部分や太陽電池モジュール１０全体の構成、さらには着色層２３に期待する色味等を考慮して適宜設計することができる。
【００３６】
また、着色層２３の形成方法についても特に限定することはない。例えば着色材を含むインキを準備し、各種塗布方法によって枠体２０の被覆部２１上に塗布することで形成してもよく、各種印刷方法によって被覆部２１上に印刷することで形成してもよい。また、被覆部２１と意匠層３０および光拡散層２８との間に着色されたフィルムや紙を設置することにより、これらを着色層２３としてもよい。
【００３７】
図３に示すように、本実施の形態において、光拡散層２８は、太陽電池モジュール１０の受光部１０ｘが設けられている領域から枠体２０の被覆部２１が設けられている領域まで一体的に広がっている。また、光拡散層２８は、被覆部２１に設けられた着色層２３に接している一方、受光部１０ｘには空気層４０を介して対向している。すなわち、本実施の形態では、被覆部２１上に、着色層２３を介して光拡散層２８が設けられるとともに、受光部１０ｘ上には、空気層４０を介して光拡散層２８が設けられている。なお、このような態様は一例であり、例えば、光拡散層２８は受光部１０ｘに接した状態で、受光部１０ｘに直接、設けられていてもよい。
【００３８】
本実施の形態のように光拡散層２８と受光部１０ｘとの間に空気層４０が形成される場合には、当該空気層４０内には特別な気体が充填されている必要はなく、空気が存在していればよい。また、空気層４０は、太陽電池モジュール１０の受光部１０ｘの受光面全体にわたって連続した層である必要はなく、したがって、光拡散層２８に受光部１０ｘと当接するスペーサ部分を形成し、スペーサ部分を除く領域において、空気層４０が形成されるようにしてもよい。
【００３９】
また、空気層４０の厚さについても特に限定されることはなく、自由に設計可能である。空気層４０の厚さは、例えば１ｎｍ〜１０００μｍ程度とすることが好ましく、１０ｎｍ〜１００μｍ程度とすることが特に好ましい。
【００４０】
光拡散層２８は、入射光を拡散し得るものであれば特に限定されることはなく、例えば公知の各種光拡散層を適宜選択して用いることができる。例えば、ポリエステル系樹脂、ポリカーボネート系樹脂やポリオレフィン系樹脂からなるフィルムを用い、当該フィルムの表面に凹凸を形成することにより、光拡散層２８を作製することができる。
【００４１】
次に、意匠層３０は、着色、絵柄、表面処理等によって意匠性を発揮し得る層であり、太陽電池装置１に所望の意匠性を付与するために設けられている。ここで絵柄とは、図形、パターン、デザイン、絵、キャラクター、イメージ、文字、マーク、数字等を広く含む。
【００４２】
図３に示すように、本実施の形態において意匠層３０は、太陽電池モジュール１０の受光部１０ｘが設けられている領域から枠体２０の被覆部２１が設けられている領域まで一体的に広がっている。意匠層３０は、光拡散層２８を介して被覆部２１に設けられた着色層２３に対向している一方、受光部１０ｘには空気層４０および光拡散層２８を介して対向している。すなわち、本実施の形態では、被覆部２１上に、着色層２３および光拡散層２８を介して意匠層３０が設けられるとともに、受光部１０ｘ上には、空気層４０および光拡散層２８を介して意匠層３０が設けられている。なお、このような態様は一例であり、例えば、意匠層３０は、受光部１０ｘに光拡散層２８を介して接した状態で、受光部１０ｘに直接、設けられていてもよい。
【００４３】
意匠層３０の着色方法や形成方法等については特に限定されることはなく、自由に設計可能である。意匠層３０の成分としては特に限定されることはなく、着色材として各種染料や各種顔料を適宜組み合わせて用いることができる。また、意匠層３０においては、前記着色材の他、任意の成分として、バインダーとしての樹脂、溶媒、分散剤等、意匠層３０を形成する上で必要な成分を任意に配合することができる。
【００４４】
意匠層３０の着色材として顔料を用いる場合には、耐候性の向上を図ることができる点で好ましい。一方で意匠層３０の着色材として染料を用いる場合には、鮮やかな色を再現することができ、意匠性の向上を図ることができる点で好ましく、さらに染料は塗布量が少なくても発色良く意匠を再現することができるため、意匠層３０をベタ層として形成しても高い光透過率を維持することができる点でも好ましい。
【００４５】
なお、意匠層３０は、太陽電池モジュール１０の受光面側に、すなわち受光部１０ｘを覆うように、位置するため、太陽電池モジュール１０の発電効率の観点から、可能な限り透明性を有していることが好ましい。透明性に関しては、所望する意匠と所望する発電効率のバランスを考慮して適宜設計すればよい。意匠層３０の平均透過率としては、所望する意匠によって様々であるが、たとえば２０％以上とすることが好ましく、５０％以上、さら好ましくは７０％以上とすることが好ましい。
【００４６】
ここで、本件明細書における平均透過率は、意匠層３０の面内平均における可視光線透過率を意味する。可視光線透過率の値としては、例えば、ＳＭカラーコンピュータＳＭ−Ｃ（スガ試験機株式会社製）を用いて、３８０ｎｍから７５０ｎｍの可視光波長領域を測定し、任意に採取したサンプル１２点の測定値を平均した値を採用することが精度向上の観点で好ましい。なお、意匠層３０に絵柄が形成されている場合等、意匠層３０の面内に可視光線透過率が大きく異なる箇所がある場合には、占有面積が比較的広い箇所を選んでそれらの平均を採用すれば足りる。
【００４７】
また、本実施の形態において、光拡散層２８および意匠層３０は、太陽電池モジュール１０に対して着脱可能に設けられている。
【００４８】
ところで、本実施の形態の太陽電池装置１においては、意匠層３０を取り除いた状態で、被覆部２１が設けられている領域における最表面での明度と、受光部１０ｘが設けられている領域における最表面での明度と、の差が、２．３以内となるように調整されている。被覆部２１が設けられている領域における最表面での明度と、受光部１０ｘが設けられている領域における最表面での明度との明度差は、枠体２０の被覆部２１、着色層２３及び光拡散層２８によって調整可能である。本件発明者らが鋭意研究を重ねたところ、この明度差の条件を満たす場合、意匠層３０への色ムラの発生を効果的に防止することができた。なお、より色ムラを目立たなくするためには、上記明度差は、１．５以内であることが好ましい。
【００４９】
具体的に、本実施の形態においては、意匠層３０を取り除いた場合、被覆部２１が設けられている領域においては、光拡散層２８のうちの着色層２３上に位置する部分が、最も意匠層３０に近い側に位置しており、光拡散層２８のうちの着色層２３上に位置する部分の表面（受光面が光を受光するために向く方向と同一の方向を向く面）が、意匠層３０を取り除いた場合の被覆部２１が設けられている領域における最表面となる。一方、受光部１０ｘが設けられている領域においては、光拡散層２８のうちの受光部１０ｘ上に位置する部分が、最も意匠層３０に近い側に位置しており、光拡散層２８のうちの受光部１０ｘ上に位置する部分の表面（受光面が光を受光するために向く方向と同一の方向を向く面）が、意匠層３０を取り除いた場合の受光部１０ｘが設けられている領域における最表面となる。したがって、本実施の形態の着色層２３は、意匠層３０を取り除いた状態で、光拡散層２８のうちの着色層２３上に位置する部分の表面の明度と、光拡散層２８のうちの受光部１０ｘ上に位置する部分の表面の明度と、の差が、２．３以内となるように、調整している。
【００５０】
明度の値は、アメリカ光学会による修正マンセル表色系にて決定され、コニカミノルタ社製の分光測色計ＣＭ−７００ｄ（視野２度、光源Ｃ）を用いて測定できる。
【００５１】
また、本実施の形態の太陽電池装置１においては、意匠層３０を取り除いた状態で、被覆部２１が設けられている領域における最表面の色と、受光部１０ｘが設けられている領域における最表面の色と、の色差ΔＥが、１５.０以内となるように調整されている。すなわち、光拡散層２８のうちの着色層２３上に位置する部分の表面の色と、光拡散層２８のうちの受光部１０ｘ上に位置する部分の表面の色と、の色差ΔＥが、１５．０以下になっている。被覆部２１が設けられている領域における最表面の色と、受光部１０ｘが設けられている領域における最表面の色との色差ΔＥは、枠体２０の被覆部２１、着色層２３及び光拡散層２８によって調整可能である。色差ΔＥを上述の値の範囲内とするのは、光拡散層２８のうちの着色層２３上に位置する部分の表面の色の属性と、光拡散層２８のうちの受光部１０ｘ上に位置する部分の表面の色の属性とを近づけるように制御するためである。本件発明者らが鋭意研究を重ねたところ、上述した明度差の条件に加えてこの色差ΔＥの条件を満たす場合、意匠層３０への色ムラの発生をより効果的に防止することができた。なお、本実施の形態では、色差ΔＥを１５．０以下の値とするが、色差ΔＥは２５．０以下であれば、意匠層３０への色ムラの発生を抑制するといった観点からは十分に好適であった。
【００５２】
色差ΔＥは、下記式により算出される。
【００５３】
ΔＥ＝｛（ΔＬ*）2＋（Δａ*）2＋（Δｂ*）2｝1/2
ΔＥ：色差
ΔＬ*、Δａ*、Δｂ*：光拡散層２８のうちの受光部１０ｘ上に位置する部分の表面の色のＬ*、ａ*、ｂ*の値と、光拡散層２８のうちの着色層２３上に位置する部分の表面の色のＬ*、ａ*、ｂ*の値とのそれぞれの差
【００５４】
Ｌ*、ａ*、およびｂ*は、１９７６年に国際照明委員会（ＣＩＥ）により勧告され、ＪＩＳ  Ｚ８７２９に規定されたＬ*ａ*ｂ*表色系にて決定され、コニカミノルタ社製の分光測色計ＣＭ−７００ｄ（視野１０度、光源Ｄ６５）を用いて測定できる。
【００５５】
明度の値や、Ｌ*、ａ*、およびｂ*の値を測定する際は、完成している太陽電池モジュール１０から意匠層３０を取り除いた後に、意匠層３０を除外した太陽電池モジュール１０の受光面側から、それらの値を測定する。
【００５６】
なお、意匠層３０への影響を抑制する観点から、意匠層３０を取り除いた太陽電池装置１において、光拡散層２８のうちの着色層２３上に位置する部分の表面の明度の値と、光拡散層２８のうちの受光部１０ｘ上に位置する部分の表面の明度の値とがいずれも５〜１０の範囲であるように、調整されていることが好ましい。さらに、それらの領域の色を無彩色に調整すれば、全体の見た目をきれいな白色または明灰色とすることができる。
【００５７】
また、光拡散層２８のうちの着色層２３上に位置する部分の表面の色を、太陽電池モジュール１０の光拡散層２８のうちの受光部１０ｘ上に位置する部分の表面の色と同色とすることができるが、必須ではない。同色とは、光拡散層２８のうちの着色層２３上に位置する部分の表面と光拡散層２８のうちの受光部１０ｘ上に位置する部分の表面とを隣接させて１０ｍ離れた位置から観察した場合に、光拡散層２８のうちの着色層２３上に位置する部分の表面と光拡散層２８のうちの受光部１０ｘ上に位置する部分の表面との間を目視で識別することが困難である程度を意味する。
【００５８】
以上に説明した本実施の形態による太陽電池装置１では、意匠層３０を取り除いた状態で、被覆部２１が設けられている領域における最表面での明度と、受光部１０ｘが設けられている領域における最表面での明度と、の差が、２．３以内となっている。これにより、意匠層３０の下地となる部分での色ムラを目立たなくすることができる。そして、このような下地となる部分を覆うように意匠層３０を設けることで、意匠層３０に色ムラが生じることを抑制することができる。このことにより、本実施の形態によれば、太陽電池モジュール１０の受光部１０ｘ及び太陽電池モジュール１０の縁部１０ｙを覆う枠体２０を覆うように設けられる意匠層３０が優れた意匠性を発揮することができる。
【００５９】
また、本実施の形態では、意匠層３０を取り除いた状態で、被覆部２１が設けられている領域における最表面の色と、受光部１０ｘが設けられている領域における最表面の色と、の色差ΔＥが、１５.０以内となっている。このことにより、意匠層３０に色ムラが生じることを一層抑制することができるため、意匠層３０が一層優れた意匠性を発揮することができる。
【００６０】
なお、第１の実施の形態では、光拡散層２８が設けられているが、光拡散層２８は設けられなくてもよい。この場合には、意匠層３０を取り除いた状態で、着色層２３の表面の明度と、受光部１０ｘの表面（受光面）の明度と、の差が、２．３以内となっていれば、意匠層３０に色ムラが生じることを抑制することができる。また、この場合においても、意匠層３０に色ムラが生じることを一層抑制する観点から、意匠層３０を取り除いた状態で、着色層２３の色と、受光部１０ｘの色と、の色差ΔＥが、１５.０以内となるように構成することが好ましい。
【００６１】
また、第１の実施の形態では、着色層２３が設けられているが、意匠層３０を取り除いた状態で、被覆部２１が設けられている領域における最表面での明度と、受光部１０ｘが設けられている領域における最表面での明度と、の差が、２．３以内となっていれば、着色層２３は必ずしも設けなくてもよい。また、この場合においても、意匠層３０に色ムラが生じることを一層抑制する観点から、意匠層３０を取り除いた状態で、被覆部２１が設けられている領域における最表面の色と、受光部１０ｘが設けられている領域における最表面の色と、の色差ΔＥが、１５.０以内となるように構成することが好ましい。
【００６２】
また、第１の実施の形態では、意匠層３０と光拡散層２８とが接合されている例を説明したが、意匠層３０と光拡散層２８とは接合されていなくてもよい。
【００６３】
また、第１の実施の形態では、意匠層３０は、受光部１０ｘが設けられている領域から被覆部２１が設けられている領域まで一体的に広がっている例を説明した。しかしながら、意匠層３０は、受光部１０ｘが設けられている領域上に設けられる第１意匠層と、第１意匠層とは別体として形成され枠体２０の被覆部２１が設けられている領域上に設けられる第２意匠層と、で分離されていてもよい。この例においても、上述した明度差に関する条件が満たされる場合、第１意匠層と第２意匠層とを同一に構成しながら、第１意匠層の表面と第２意匠層の表面との間に色むらが生じることを効果的に防止することができる。
【００６４】
（第２の実施の形態）
次に、第２の実施の形態による太陽電池装置２について図４を用いて説明する。以下に説明する第２の実施の形態の構成部分のうち、上述した第１の実施の形態における構成部分と同様に構成し得る点については、同一符号を示し、以下では、第１の実施の形態と異なる点を主に説明する。なお、図４は、第１の実施の形態で用いた図３に対応する、第２の実施の形態の太陽電池装置２の断面図である。
【００６５】
図４に示すように、第２の実施の形態では、光拡散層２８が意匠層３０とは別体に形成され、太陽電池モジュール１０における受光部１０ｘ上にのみ設けられている点で第１の実施の形態と異なっている。
【００６６】
第２の実施の形態においては、意匠層３０を取り除いた場合、被覆部２１が設けられている領域においては、着色層２３が、最も意匠層３０に近い側に位置しており、着色層２３の表面が、意匠層３０を取り除いた場合の被覆部２１が設けられている領域における最表面となる。一方、受光部１０ｘが設けられている領域においては、光拡散層２８のうちの受光部１０ｘ上に位置する部分が、最も意匠層３０に近い側に位置しており、光拡散層２８のうちの受光部１０ｘ上に位置する部分の表面が、意匠層３０を取り除いた場合の受光部１０ｘが設けられている領域における最表面となる。
【００６７】
そして、第２の実施の形態においては、意匠層３０を取り除いた状態で、着色層２３の表面の明度と、光拡散層２８のうちの受光部１０ｘ上に位置する部分の表面の明度と、の差が、２．３以内となっている。また、意匠層３０を取り除いた状態で、着色層２３の表面の色と、光拡散層２８のうちの受光部１０ｘ上に位置する部分の表面の色と、の色差ΔＥが、１５.０以内となっている。
【００６８】
なお、第２の実施の形態においては、光拡散層２８と受光部１０ｘとの間に、第１の実施の形態のような空気層４０が形成されていないが、空気層４０が形成される態様であってもよい。
【００６９】
このような第２の実施の形態の太陽電池装置２においても、意匠層３０を取り除いた状態で、被覆部２１が設けられている領域における最表面での明度と、受光部１０ｘが設けられている領域における最表面での明度と、の差が、２．３以内となっているので、意匠層３０の下地となる部分での色ムラを目立たなくすることができる。そして、このような下地となる部分を覆うように意匠層３０を設けることで、意匠層３０に色ムラが生じることを抑制することができる。このことにより、第２の実施の形態においても、太陽電池モジュール１０の受光部１０ｘ及び太陽電池モジュール１０の縁部１０ｙを覆う枠体２０を覆うように設けられる意匠層３０が優れた意匠性を発揮することができる。なお、より色ムラを目立たなくするためには、上記明度差は、１．５以内であることが好ましい。
【００７０】
また、第２の実施の形態においても、意匠層３０を取り除いた状態で、被覆部２１が設けられている領域における最表面の色と、受光部１０ｘが設けられている領域における最表面の色と、の色差ΔＥが、１５.０以内となっている。このことにより、意匠層３０に色ムラが生じることを一層抑制することができるため、意匠層３０が一層優れた意匠性を発揮することができる。
【００７１】
なお、第２の実施の形態においても、着色層２３が設けられているが、意匠層３０を取り除いた状態で、被覆部２１が設けられている領域における最表面での明度と、受光部１０ｘが設けられている領域における最表面での明度と、の差が、２．３以内となっていれば、着色層２３は必ずしも設けなくてもよい。また、この場合においても、意匠層３０に色ムラが生じることを一層抑制する観点から、意匠層３０を取り除いた状態で、被覆部２１が設けられている領域における最表面の色と、受光部１０ｘが設けられている領域における最表面の色と、の色差ΔＥが、１５.０以内となるように構成することが好ましい。
【００７２】
また、第２の実施の形態においても、意匠層３０は、受光部１０ｘが設けられている領域から被覆部２１が設けられている領域まで一体的に広がっている例を説明した。しかしながら、意匠層３０は、受光部１０ｘが設けられている領域上に設けられる第１意匠層と、第１意匠層とは別体として形成され枠体２０の被覆部２１が設けられている領域上に設けられる第２意匠層と、で分離されていてもよい。この例においても、上述した明度差に関する条件が満たされる場合、第１意匠層と第２意匠層とを同一に構成しながら、第１意匠層の表面と第２意匠層の表面との間に色むらが生じることを効果的に防止することができる。
【００７３】
（第３の実施の形態）
次に、第３の実施の形態による太陽電池装置３について図５を用いて説明する。以下に説明する第３の実施の形態の構成部分のうち、上述した第１または第２の実施の形態における構成部分と同様に構成し得る点については、同一符号を示し、以下では、第１及び第２の実施の形態と異なる点を主に説明する。なお、図５は、第１の実施の形態で用いた図３に対応する、第３の実施の形態の太陽電池装置３の断面図である。
【００７４】
図５に示すように、第３の実施の形態では、意匠層３０が、受光部１０ｘが設けられている領域上に設けられる第１意匠層３１と、第１意匠層３１とは別体として形成され枠体２０の被覆部２１が設けられている領域上に設けられる第２意匠層３２と、を含んでいる。
【００７５】
第３の実施の形態において第１意匠層３１と第２意匠層３２とには、同一の絵柄が含まれている。第１意匠層３１と第２意匠層３２とに同一の絵柄が含まれている状態とは、例えば、第１意匠層３１と第２意匠層３２とにそれぞれ、同一の木目のパターンが含まれていたり、同一の水玉模様が含まれていたりする状態のことを意味する。また、絵柄を除いた第１意匠層３１と第２意匠層３２とのベース地の色は、双方間に明度差または色差が存在するとしても、少なくとも同系統の色となっている。なお、ベース地は、第１意匠層３１及び第２意匠層３２のうちの絵柄を取り除いた部分のことを意味する。
【００７６】
第３の実施の形態の第１意匠層３１は、光拡散層２８と接合されており、第１意匠層３１は、光拡散層２８を介して、太陽電池モジュール１０における受光部１０ｘ上に設けられている。なお、図示のように、光拡散層２８と受光部１０ｘとの間には、第１の実施の形態のような空気層４０が形成されていないが、空気層４０が形成される態様であってもよい。一方、第２意匠層３２は、枠体２０の被覆部２１上に直接、設けられている。
【００７７】
第３の実施の形態においては、意匠層３０における絵柄の影響を取り除いた状態において、被覆部２１が設けられている領域上の意匠層３０の表面、すなわち第２意匠層３２の表面での明度と、受光部１０ｘが設けられている領域上の意匠層３０の表面、すなわち第１意匠層３１の表面での明度との差が、２．３以内となっている。
【００７８】
ここで、絵柄の影響を取り除くとは、対象となる意匠層（第１意匠層３１、第２意匠層３２）の表面での絵柄に関連した着色による明度の変化を取り除くことを意図している。したがって、絵柄の影響を取り除いた状態での明度差は、絵柄のみが形成されていない状態での対象となる第１意匠層３１、第２意匠層３２の表面間での明度差によって評価され得る。
より具体的には、絵柄を含む意匠層を形成する場合には、ベース地を形成する下層と、絵柄を形成する上層と、を２層に重ねて意匠層を形成する場合がある。この場合において絵柄の影響を取り除くとは、上層の影響を取り除くことを意図している。そして、この場合の絵柄の影響を取り除いた状態での明度差は、ベース地に相当する第１意匠層３１の下層、第２意匠層３２の下層の表面間での明度差によって評価され得る。例えば、木目パターンや水玉模様等の絵柄が上層によって付与されている場合には、上層を形成する前の第１意匠層３１の下層の表面の明度と第２意匠層３２の下層の表面の明度との明度差によって評価され得る。また、水玉模様等の絵柄が上層によって付与され絵柄が点在している場合には、露出した第１意匠層３１の下層の表面での明度と第２意匠層３２の下層の表面での明度との差によって評価され得る。
また、絵柄を含む意匠層を形成する場合には、ベース地を形成する部分と絵柄を形成する部分とを、平面領域分割により並べて含む単一の層によって意匠層が形成される場合がある。この場合において絵柄の影響を取り除くとは、上記絵柄を形成する部分の影響を取り除くことを意図している。そして、この場合の絵柄の影響を取り除いた状態での明度差は、第１意匠層３１のベース地を形成する部分、第２意匠層３２のベース地を形成する部分の表面間での明度差によって評価され得る。例えば、木目パターンや水玉模様等の絵柄が、上記絵柄を形成する部分によって付与されている場合には、露出した第１意匠層３１のベース地を形成する部分の表面での明度と第２意匠層３２のベース地を形成する部分の表面での明度との差によって評価され得る。
【００７９】
また、第３の実施の形態では、第１意匠層３１と第２意匠層３２とにおける絵柄の影響を取り除いた状態での第２意匠層３２の表面の色と、第１意匠層３１の表面の色と、の色差ΔＥが、１５.０以内となっている。ここでいう、絵柄の影響を取り除くとは、上述した明度差の評価と同様に、対象となる意匠層（第１意匠層３１、第２意匠層３２）の表面での絵柄に関連した着色による色の変化を取り除くことを意図している。したがって、絵柄の影響を取り除いた状態での色差は、上述した明度差の評価時と同様に、絵柄のみが形成されていない状態での対象となる第１意匠層３１、第２意匠層３２の表面間での色差によって評価され得る。具体的には、第１意匠層３１のベース地の色と第２意匠層３２のベース地の色との色差によって評価され得る。
【００８０】
ここで、第３の実施の形態では、第２意匠層３２の表面での明度と、第１意匠層３１の表面での明度との差が、２．３以内で、且つ、第２意匠層３２の表面の色と、第１意匠層３１の表面の色と、の色差ΔＥが、１５.０以内とするために、第１意匠層３１と第２意匠層３２とを単独で、すなわち太陽電池モジュール１０から分離された状態で、観察した場合に、第１意匠層３１と第２意匠層３２との間で、明度差および色差が生じるようになっている。より具体的には、第１意匠層３１の明度が、第２意匠層３２の明度よりも高く、且つ、第１意匠層３１の色と第２意匠層３２の色との色差は、例えば１５．０以内となっている。これは、太陽電池モジュール１０の受光部１０ｘの明度が被覆部２１の明度よりも低いことに応じて決定されている。なお、仮に、太陽電池モジュール１０の受光部１０ｘの明度が被覆部２１の明度よりも高い場合には、第１意匠層３１の明度が、第２意匠層３２の明度よりも低く設定され得る。
【００８１】
このような第３の実施の形態による太陽電池装置３では、絵柄の影響を取り除いた状態において、被覆部２１が設けられている領域上の意匠層３０の表面での明度と、受光部１０ｘが設けられている領域上の意匠層３０の表面での明度との差が、２．３以内となっているので、第１意匠層３１と第２意匠層３２との間で色ムラが目立ってしまうことを効果的に防止することができる。このことにより、太陽電池モジュール１０の受光部１０ｘ及び太陽電池モジュール１０の縁部１０ｙを覆う枠体２０を覆うように設けられる意匠層３０（第１意匠層３１、第２意匠層３２）が優れた意匠性を発揮することができる。なお、より色ムラを目立たなくするためには、上記明度差は、１．５以内であることが好ましい。
【００８２】
また、絵柄の影響を取り除いた状態での第２意匠層３２の表面の色と第１意匠層３１の表面の色との色差ΔＥが、１５.０以内となっているので、第１意匠層３１と第２意匠層３２との間で色ムラが目立ってしまうことを効果的に防止することができ、意匠層３０が一層優れた意匠性を発揮することができる。
【００８３】
（第４の実施の形態）
次に、第４の実施の形態による太陽電池装置４について図６を用いて説明する。第４の実施の形態の構成部分のうち、上述した第１〜第３の実施の形態における構成部分と同様に構成し得る点については、同一符号を示し、以下では、第１〜第３の実施の形態と異なる点を主に説明する。なお、図６は、第１の実施の形態で用いた図３に対応する、第４の本実施の形態の太陽電池装置４の断面図である。
【００８４】
図６に示すように、第４の実施の形態では、枠体２０の被覆部２１の表面側に、太陽電池モジュール１０の平面方向における外側から内側に向けて延びるに従い、次第に太陽電池モジュール１０の受光部１０ｘに近づくように延びる傾斜面２１ａが形成されている。これに伴い、被覆部２１上に設けられた着色層２３も、太陽電池モジュール１０の平面方向における外側から内側に向けて延びるに従い、次第に太陽電池モジュール１０の受光部１０ｘに近づくように延びる傾斜状になっている。
【００８５】
また、第４の実施の形態では、太陽電池モジュール１０の表側面１０ａに、光拡散層２８が直接、設けられている。そして、被覆部２１は、光拡散層２８を介して、太陽電池モジュール１０の表側面１０ａのうちの縁部１０ｙを覆っている。
【００８６】
また、意匠層３０は、被覆部２１の傾斜面２１ａ（着色層２３の傾斜面）に沿うとともに光拡散層２８に沿うように、傾斜面２１ａと光拡散層２８との境界部分で湾曲あるいは折曲され、且つ傾斜面２１ａおよび光拡散層２８に接した状態で、設けられている。
【００８７】
そして、第４の実施の形態においては、意匠層３０を取り除いた状態で、着色層２３の表面の明度と、光拡散層２８のうちの受光部１０ｘ上に位置する部分の表面の明度と、の差が、２．３以内となっている。また、意匠層３０を取り除いた状態で、着色層２３の表面の色と、光拡散層２８のうちの受光部１０ｘ上に位置する部分の表面の色と、の色差ΔＥが、１５.０以内となっている。このような第４の実施の形態の太陽電池装置４においても、第１の実施の形態等と同様の効果、すなわち、意匠層３０に色ムラが生じることを抑制して、意匠層３０が優れた意匠性を発揮することを可能にする。
【００８８】
また、第４の実施の形態では、被覆部２１に傾斜面２１ａが形成され、これに伴って着色層２３も傾斜状となっていることで、意匠層３０を枠体２０の被覆部２１および太陽電池モジュール１０の受光部１０ｘに沿うように設ける場合に、シワや折れ目等が生じない状態とすることが容易となる。
【００８９】
以上、本発明の各実施の形態を説明したが、各実施の形態においては、種々の置き換え、変更を行うことができる。例えば、第４の実施の形態の被覆部２１の傾斜面２１ａの構成は、他の実施の形態にも適用することができる。
【符号の説明】
【００９０】
１，２，３，４  太陽電池装置
１０  太陽電池モジュール
１０ａ  表側面
１０ｘ  受光部
１０ｙ  縁部
２０  枠体
２１  被覆部
２１ａ  傾斜面
２２  基体部
２３  着色層
２８  光拡散層
３０  意匠層
３１  第１意匠層
３２  第２意匠層
４０  空気層
【図１】
0006413426.tif 000002
【図２】
0006413426.tif 000003
【図３】
0006413426.tif 000004
【図４】
0006413426.tif 000005
【図５】
0006413426.tif 000006
【図６】
0006413426.tif 000007